【事件の表示】
　特願２０１５−１４８３８６号「遊技機」拒絶査定不服審判事件〔平成２９年　２月　２日出願公開、特開２０１７−　２３６２８号〕について、次のとおり審決する。
【結　論】
　本件審判の請求は、成り立たない。
【理　由】
第１　手続の経緯
　本願は、平成２７年７月２８日の出願であって、平成３０年７月２３日付けで拒絶の理由が通知され、同年９月２５日に意見書及び手続補正書が提出されたところ、平成３１年２月１５日付け（謄本送達日：同年同月２６日）で拒絶査定がなされ、それに対して、令和１年５月１３日に拒絶査定不服審判の請求がなされると同時に手続補正書が提出され、これに対し、当審において、同年１１月８日付けで拒絶の理由が通知され、同年１２月２４日に意見書及び手続補正書が提出され、これに対し、当審において、令和２年１月２７日付けで拒絶の理由が通知され、同年３月１２日に意見書及び手続補正書が提出されたものである。
第２　本願発明
　本願の請求項１に係る発明（以下「本願発明」という。）は、令和２年３月１２日に提出された手続補正書により補正された特許請求の範囲の請求項１に記載された次のとおりのものである（Ａ〜Ｊは、本願発明を分説するために当審で付与した）。
「【請求項１】
Ａ　変動表示を行い、変動表示の表示結果として特定表示結果が導出表示されたときに、遊技者にとって有利な有利状態に制御可能な遊技機であって、
Ｂ　未だ開始されていない変動表示を対象に前記有利状態に制御されることを示唆する演出として、それぞれ異なる変動前演出画像を表示する複数の変動前演出を実行可能な変動前演出実行手段と、
Ｃ　実行中の変動表示を対象に前記有利状態に制御されることを示唆する演出として、それぞれ異なる変動中演出画像を表示する複数の変動中演出を実行可能な変動中演出実行手段と、
Ｄ　前記変動中演出を選択する変動中演出選択手段と、
Ｅ　前記変動中演出選択手段による選択の後に前記変動前演出を選択する変動前演出選択手段と、
Ｆ　未だ開始されていない変動表示に関する所定情報を記憶可能な記憶手段と、
　を備え、
Ｂ　前記変動前演出実行手段は、
Ｂ１　　対象となる未だ開始されていない変動表示の前記有利状態に制御される期待度が低い第１変動前演出と、
Ｂ２　　対象となる未だ開始されていない変動表示の前記有利状態に制御される期待度が該第１変動前演出よりも高い第２変動前演出と、
Ｂ３　　対象となる未だ開始されていない変動表示の前記有利状態に制御される期待度が該第２変動前演出よりも高い第３変動前演出と、
　　を実行可能であり、
Ｃ　前記変動中演出実行手段は、
Ｃ１　　対象となる実行中の変動表示の前記有利状態に制御される期待度が低い第１変動中演出と、
Ｃ２　　対象となる実行中の変動表示の前記有利状態に制御される期待度が該第１変動中演出よりも高い第２変動中演出と、
Ｃ３　　対象となる実行中の変動表示の前記有利状態に制御される期待度が該第２変動中演出よりも高い第３変動中演出と、
　を実行可能であり、
Ｇ　　対象となる実行中の変動表示が開始されるよりも前から前記第２変動前演出が実行される場合に、該変動表示に関する前記変動中演出を実行する場合は、前記第２変動中演出と前記第３変動中演出とのうち、少なくともどちらか一方を実行し、
Ｈ１　前記第１変動中演出の変動中演出画像は、前記第１変動前演出の変動前演出画像と関連しており、
Ｈ２　前記第２変動中演出の変動中演出画像は、前記第２変動前演出の変動前演出画像と関連しており、
Ｈ３　前記第３変動中演出の変動中演出画像は、前記第３変動前演出の変動前演出画像と関連しており、
Ｅ　前記変動前演出選択手段は、
Ｅ１　　前記変動中演出選択手段により前記第１変動中演出が選択された場合は、前記第１変動前演出を選択し、
Ｅ２　　前記変動中演出選択手段により前記第２変動中演出が選択された場合は、前記第１変動前演出と前記第２変動前演出とのうち少なくともどちらか一方を選択し、
Ｅ３　　前記変動中演出選択手段により前記第３変動中演出が選択された場合は、前記第１変動前演出、前記第２変動前演出または前記第３変動前演出のうち少なくともいずれか一つを選択し、
Ｉ　前記記憶手段は、前記変動中演出を前記第１変動中演出、前記第２変動中演出、前記第３変動中演出のいずれに決定したかを特定可能な変動中演出情報を前記所定情報に対応付けて記憶可能である、
Ｊ　ことを特徴とする遊技機。」
第３　当審拒絶理由の概要
　令和２年１月２７日付けの当審における拒絶の理由の概要は、以下のとおりのものである。
（進歩性）本件出願の請求項１〜３に記載された発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
●理由１（進歩性）について
●請求項１に記載された発明について
・引用文献　１〜３
引用文献１：特開２０１４−２３６８６１号公報
引用文献２：特開２０１１−１７１号公報
引用文献３：特開２０１５−８３１９２号公報
第４　引用文献に記載された事項
１　引用文献１
　当審における拒絶の理由（令和２年１月２７日付け拒絶理由通知書）に引用文献１として引用された本願の出願前に頒布された特開２０１４−２３６８６１号公報（以下「引用文献１」という。）には、図面とともに次の事項が記載されている（下線は当審で付した。以下同じ。また、【０１３２】に「演出パターンＥＰ５０１は、コメントの表示色が白色となる演出パターンであり、演出パターンＥＰ５０２は、コメントの表示色が青色となる演出パターンであり、演出パターンＥＰ５０
１
１
１
１
３
４
（１）「【００１３】
　図１に示すように、
パチンコ遊技機
【００１４】
　また、演出表示装置１１の右下には、７セグメント型の表示手段としての特別図柄表示装置１２が配設されている。
特別図柄表示装置１２では、特別図柄（以下、「特図」と示す）を変動させて表示する変動ゲームが行われ
【００１５】
　本実施形態において特別図柄表示装置１２には、複数種類の特図の中から、大当り抽選の抽選結果に対応する１つの特図が選択され、その選択された特図が変動ゲームの終了によって個別に確定停止表示される。複数種類の特図は、大当りを認識し得る図柄となる大当り図柄（大当り表示結果）と、はずれを認識し得る図柄となるはずれ図柄（はずれ表示結果）とに分類される。また、
大当り図柄が確定停止表示された場合、遊技者には、大当り遊技が付与される
（２）「【００４６】
　また、
演出制御用ＣＰＵ３１ａには、保留ランプ２１ａ〜２１ｄが接続されており、演出制御用ＣＰＵ３１ａからの信号の入力により所定の表示色で発光させる
（３）「【００７４】
　また、本実施形態においては、
遊技球の始動入賞による変動ゲームの実行が保留されているときに、
大当り期待度を示す先読み演出
が実行可能である
・・・
【００７６】
　本実施形態における
先読み演出には、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出が含まれている
【００７７】
　なお、本実施形態において、
保留予告演出として、
保留ランプが緑色で表示（点灯）される場合には、青色で表示される場合よりも特定変動ゲームの大当り期待度が高くなる
・・・
【００７９】
　このような保留予告演出以外にも、
演出表示装置１１において表示されるコメント内容と表示色（白色、青色、緑色、赤色）とによって、実行中の変動ゲームの大当り期待度を示すコメント予告演出が実行される
【００８０】
　なお、
コメント予告演出として、コメント
が赤色で表示される場合には、緑色で表示される場合よりも変動ゲームの大当り期待度が高くなる
コメント予告演出として、コメント
が緑色で表示される場合には、青色で表示される場合よりも変動ゲームの大当り期待度が高くなり
青色で表示される場合には、白色で表示される場合よりも変動ゲームの大当り期待度が高くなる
・・・
【００８３】
　ここで、図５を参照して演出表示装置１１の画像表示部ＧＨに表示される画像の具体的な一例について説明する。
　まず、図５（ａ）に示すように、画像表示部ＧＨにおいて、飾図が変動表示されており、
保留ランプ２１ａが白色で点灯しており
・・・
【００８９】
　続いて、図５（ｇ）に示すように、保留ランプ２１ａが緑色で点滅した後、同じ変動ゲームの実行中に、飾図がリーチ状態を形成するとともに、
コメント画像ＣＧが表示され、
コメント予告演出が実行される
（４）「【０１１７】
　ステップＳ２０３において、演出制御用ＣＰＵ３１ａは、入力された先読みコマンドに基づいて、先読み演出を実行させるか否かを決定する先読み演出抽選処理を実行する。特に、
大当りに当選する場合には、大当りに当選しない（はずれとなる）場合よりも高い確率で、先読み演出の実行が決定される
・・・
【０１１９】
　その一方で、この判定結果が肯定の場合（先読み演出抽選において当選した）、
演出制御用ＣＰＵ３１ａは、
保留予告演出の表示色を決定する
【０１２０】
　ステップＳ２０６において、演出制御用ＣＰＵ３１ａは、ステップＳ２０５において
決定された決定結果を示す情報（保留予告演出の表示色）を、各変動ゲームに対応するように演出制御用ＲＡＭ３１ｃに設定する
（５）「【０１２８】
　ステップＳ２２２において、
演出制御用ＣＰＵ３１ａは、
コメント予告演出の表示色を決定する
【０１２９】
　そして、演出制御用ＣＰＵ３１ａは、
決定された決定結果を示す情報（コメント予告演出の
表示色を示す演出パターン）を、
変動ゲームに対応するように演出制御用ＲＡＭ３１ｃに設定し
【０１３０】
　ここで、
図１２を参照して、コメント予告演出の表示色を決定するためのコメント表示色決定テーブルについて説明する
　図１２に示すように、コメント表示色決定テーブルは、特定変動ゲームにおけるコメント予告演出の表示色を決定するためのテーブルである。コメント表示色決定テーブルには、保留予告演出の最終の表示色（図中では「最終保留表示色」と示す）に対応するように特定変動ゲームにおけるコメント予告演出の表示色を指定する複数種類の演出パターンが規定されている。
【０１３１】
　具体的に、コメント表示色決定テーブルには、
保留予告演出の最終の表示色として青色が表示されていた場合、演出パターンＥＰ５０２〜ＥＰ５０４が規定されている
保留予告演出の最終の表示色として緑色が表示されていた場合、演出パターンＥＰ５０３，ＥＰ５０４が、
規定されている
保留予告演出が実行されていない場合において、コメント予告演出が実行されると決定され
【０１３２】
　
演出パターンＥＰ５０１は、コメントの表示色が白色となる演出パターンであり
演出パターンＥＰ５０２は、コメントの表示色が青色となる演出パターンであり、演出パターンＥＰ５０３は、コメントの表示色が緑色となる演出パターンであり、演出パターンＥＰ５０４は、コメントの表示色が赤色となる演出パターンである
（６）「【０１３８】
　また、変動パターン指定コマンドの入力を契機として、演出制御用ＣＰＵ３１ａは、演出制御用ＲＡＭ３１ｃからコメント予告演出のコメント内容、表示色を示す演出パターンを特定する。そして、
演出制御用ＣＰＵ３１ａは、
コメント予告演出を実行させる
【０１３９】
　つまり、
演出制御用ＣＰＵ３１ａは、
保留予告演出を実行させる制御を行う
（７）「【０１７８】
　・上記実施形態において、始動入賞口１４，１５への遊技球の入賞を契機として、保留予告演出の表示色を決定し、変動ゲームの開始を契機として、保留予告演出の表示色に基づいて、その表示色以上となるコメント予告演出の表示色が決定されたが、これに限らない。例えば、
始動入賞口１４，１５への遊技球の入賞を契機として、保留予告演出とコメント予告演出との両方を実行させると決定した場合、コメント予告演出の表示色を決定し、そのコメント予告演出の表示色に基づいて、その表示色以下となる保留予告演出の最終の表示色が決定され
（８）図１２
　上記【０１３０】の「図１２を参照して、コメント予告演出の表示色を決定するためのコメント表示色決定テーブルについて説明する」との記載、上記【０１３２】の「演出パターンＥＰ５０１は、コメントの表示色が白色となる演出パターンであり」との記載、上記【００７６】の「先読み演出には、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出が含まれている」との記載、及び上記【００８３】の「保留ランプ２１ａが白色で点灯しており」との記載を参酌すると、図１２には、
コメント予告演出のコメントの表示色が白色となる演出パターンの場合、保留予告演出の最終の表示色なしが選択され、保留ランプを特定の表示色（青色、緑色、赤色）以外の白色で点灯することとなる
　また、上記【０１３０】、【００７６】、【００８３】の記載、及び上記【０１３２】の「演出パターンＥＰ５０２は、コメントの表示色が青色となる演出パターンであり」との記載を参酌すると、図１２には、
コメント予告演出のコメントの表示色が青色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されることが選択され
　そして、上記【０１３０】、【００７６】、【００８３】の記載、及び上記【０１３２】の「演出パターンＥＰ５０３は、コメントの表示色が緑色となる演出パターンであり」との記載を参酌すると、図１２には、
コメント予告演出のコメントの表示色が緑色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されること、緑色が表示されることが選択され
　上記記載事項（１）〜（８）より、以下の事項が導かれる。
　なお、（ａ）〜（ｊ）は、本願発明の構成Ａ〜Ｊに対応した事項を示している。
（ａ）上記【００１４】には「特別図柄表示装置１２では、特別図柄（以下、「特図」と示す）を変動させて表示する変動ゲームが行われ」と記載され、上記【００１５】には「大当り図柄が確定停止表示された場合、遊技者には、大当り遊技が付与される」と記載され、上記【００１３】には「パチンコ遊技機」と記載されているから、引用文献１には、
特別図柄表示装置１２では、特図を変動させて表示する変動ゲームが行われ、大当り図柄が確定停止表示された場合、遊技者には、大当り遊技が付与されるパチンコ遊技機
（ｂ）上記【００７４】には「遊技球の始動入賞による変動ゲームの実行が保留されているときに、・・・大当り期待度を示す先読み演出・・・が実行可能である」と記載され、上記【０１１７】には「大当りに当選する場合には、大当りに当選しない（はずれとなる）場合よりも高い確率で、先読み演出の実行が決定される」と記載され、上記【００７６】には「先読み演出には、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出が含まれている」と記載され、上記【００８３】には「保留ランプ２１ａが白色で点灯しており」と記載され、上記【０１３９】には「演出制御用ＣＰＵ３１ａは、・・・保留予告演出を実行させる制御を行う」と記載され、上記【００４６】には「演出制御用ＣＰＵ３１ａには、保留ランプ２１ａ〜２１ｄが接続されており、演出制御用ＣＰＵ３１ａからの信号の入力により所定の表示色で発光させる」と記載されているから、引用文献１には、
遊技球の始動入賞による変動ゲームの実行が保留されているときに、大当りに当選する場合には、大当りに当選しない（はずれとなる）場合よりも高い確率で実行が決定される演出であり、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出である先読み演出、及び、保留ランプを白色で点灯することを実行可能な演出制御用ＣＰＵ３１ａ
（ｃ）上記【００７９】には「演出表示装置１１において表示されるコメント内容と表示色（白色、青色、緑色、赤色）とによって、実行中の変動ゲームの大当り期待度を示すコメント予告演出が実行される」と記載され、上記【００８９】には「コメント画像ＣＧが表示され、・・・コメント予告演出が実行される」と記載され、上記【０１３８】には「演出制御用ＣＰＵ３１ａは、・・・コメント予告演出を実行させる」と記載されているから、引用文献１には、
演出表示装置１１において表示される表示色（白色、青色、緑色、赤色）によって、実行中の変動ゲームの大当り期待度を示すコメント画像ＣＧを表示するコメント予告演出を実行する演出制御用ＣＰＵ３１ａ
（ｄ）上記【０１７８】には「始動入賞口１４，１５への遊技球の入賞を契機として、・・・コメント予告演出の表示色を決定し」と記載され、上記【０１１９】には「演出制御用ＣＰＵ３１ａは、・・・コメント予告演出の表示色を決定する」と記載されているから、引用文献１には、
始動入賞口１４，１５への遊技球の入賞を契機として、コメント予告演出の表示色を決定する演出制御用ＣＰＵ３１ａ
（ｅ）上記【０１７８】には「始動入賞口１４，１５への遊技球の入賞を契機として、保留予告演出とコメント予告演出との両方を実行させると決定した場合、コメント予告演出の表示色を決定し、そのコメント予告演出の表示色に基づいて、その表示色以下となる保留予告演出の最終の表示色が決定され」と記載され、上記【０１３１】には「保留予告演出が実行されていない場合において、コメント予告演出が実行されると決定され」と記載されているから、引用文献１には、
始動入賞口１４，１５への遊技球の入賞を契機として、保留予告演出とコメント予告演出との両方を実行させると決定した場合、コメント予告演出の表示色を決定し、そのコメント予告演出の表示色に基づいて、その表示色以下となる保留予告演出の最終の表示色を決定し、保留予告演出が実行されない場合においても、コメント予告演出が実行されると決定してコメント予告演出の表示色を決定する演出制御用ＣＰＵ３１ａ
（ｆ）上記【０１１９】には「保留予告演出の表示色を決定する」と記載され、上記【０１２０】には「決定された決定結果を示す情報（保留予告演出の表示色）を、各変動ゲームに対応するように演出制御用ＲＡＭ３１ｃに設定する」と記載されているから、引用文献１には、
決定された保留予告演出の表示色を示す情報を、各変動ゲームに対応するように設定する演出制御用ＲＡＭ３１ｃ
（ｂ１）上記【００８３】には「保留ランプ２１ａが白色で点灯しており」と記載されているから、引用文献１には、
保留ランプを白色で点灯すること
（ｂ２）上記【００７７】には「保留予告演出として、・・・保留ランプが・・・青色で表示される」と記載されているから、引用文献１には、
保留ランプが青色で表示される保留予告演出
（ｂ３）上記【００７７】には「保留予告演出として、・・・保留ランプが緑色で表示（点灯）される場合には、青色で表示される場合よりも特定変動ゲームの大当り期待度が高くなる」と記載されているから、引用文献１には、
保留ランプが青色で表示される場合よりも特定変動ゲームの大当り期待度が高くなる、保留ランプが緑色で表示（点灯）される保留予告演出
（ｃ１）上記【００８０】には「コメント予告演出として、コメント・・・が・・・白色で表示される」と記載されているから、引用文献１には、
コメントが白色で表示されるコメント予告演出
（ｃ２）上記【００８０】には「コメント予告演出として、コメント・・・青色で表示される場合には、白色で表示される場合よりも変動ゲームの大当り期待度が高くなる」と記載されているから、引用文献１には、
コメントが白色で表示される場合よりも変動ゲームの大当り期待度が高くなる、コメントが青色で表示されるコメント予告演出
（ｃ３）上記【００８０】には「コメント予告演出として、コメント・・・が緑色で表示される場合には、青色で表示される場合よりも変動ゲームの大当り期待度が高くなり」と記載されているから、引用文献１には、
コメントが青色で表示される場合よりも変動ゲームの大当り期待度が高くなる、コメントが緑色で表示されるコメント予告演出
（ｇ）上記【０１３１】には「保留予告演出の最終の表示色として青色が表示されていた場合、演出パターンＥＰ５０２〜ＥＰ５０４が規定されている・・・コメント予告演出が実行される」と記載され、上記【０１３２】には「演出パターンＥＰ５０２は、コメントの表示色が青色となる演出パターンであり、演出パターンＥＰ５０３は、コメントの表示色が緑色となる演出パターンであり、演出パターンＥＰ５０４は、コメントの表示色が赤色となる演出パターンである」と記載され、上記【００８０】には「コメント予告演出として、コメント・・・が赤色で表示される場合には、緑色で表示される場合よりも変動ゲームの大当り期待度が高くなる」と記載されているから、引用文献１には、
保留予告演出の最終の表示色として青色が表示されていた場合、コメント予告演出のコメントの表示色が青色となる演出パターン、緑色となる演出パターン、コメントが緑色で表示される場合よりも変動ゲームの大当り期待度が高いコメントが赤色となる演出パターンのいずれかが実行され
（ｈ１）上記【００８０】には「コメント予告演出として、コメント・・・が・・・白色で表示される」と記載され、上記【００８３】には「保留ランプ２１ａが白色で点灯しており」と記載されているから、引用文献１には、
コメントが白色で表示されるコメント予告演出と、保留ランプを白色で点灯すること
（ｈ２）上記【００８０】には「コメント予告演出として、コメント・・・が・・・青色で表示される」と記載され、上記【００７７】には「保留予告演出として、・・・保留ランプが・・・青色で表示される」と記載されているから、引用文献１には、
コメントが青色で表示されるコメント予告演出と、保留ランプが青色で表示される保留予告演出がある
（ｈ３）上記【００８０】には「コメント予告演出として、コメント・・・が緑色で表示される」と記載され、上記【００７７】には「保留予告演出として、・・・保留ランプが緑色で表示（点灯）される」と記載されているから、引用文献１には、
コメントが緑色で表示されるコメント予告演出と、保留ランプが緑色で表示（点灯）される保留予告演出がある
（ｅ１）上記図１２には「
コメント予告演出のコメントの表示色が白色となる演出パターンの場合、保留予告演出の最終の表示色なしが選択され、保留ランプを特定の表示色（青色、緑色、赤色）以外の白色で点灯することとなる
（ｅ２）上記図１２には「
コメント予告演出のコメントの表示色が青色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されることが選択され
（ｅ３）上記図１２には「
コメント予告演出のコメントの表示色が緑色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されること、緑色が表示されることが選択され
（ｉ）上記【０１２８】には「
コメント予告演出の表示色を決定する
演出制御用ＲＡＭ３１ｃは、決定されたコメント予告演出の表示色の演出パターンを示す情報が変動ゲームに対応するように設定される
（ｊ）上記【００１３】には「
パチンコ遊技機
　上記記載事項（１）〜（８）及び上記（ａ）〜（ｊ）の認定事項から、引用文献１には、次の発明（以下、「引用発明」という。）が記載されていると認められる（ａ〜ｊは、発明の構成を分説するため当審で付与した）。
「ａ　特別図柄表示装置１２では、特図を変動させて表示する変動ゲームが行われ、大当り図柄が確定停止表示された場合、遊技者には、大当り遊技が付与されるパチンコ遊技機であって
ｂ　遊技球の始動入賞による変動ゲームの実行が保留されているときに、大当りに当選する場合には、大当りに当選しない（はずれとなる）場合よりも高い確率で実行が決定される演出であり、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出である先読み演出、及び、保留ランプを白色で点灯することを実行可能な演出制御用ＣＰＵ３１ａと、
ｃ　演出表示装置１１において表示される表示色（白色、青色、緑色、赤色）によって、実行中の変動ゲームの大当り期待度を示すコメント画像ＣＧを表示するコメント予告演出を実行する演出制御用ＣＰＵ３１ａと、
ｄ　始動入賞口１４，１５への遊技球の入賞を契機として、コメント予告演出の表示色を決定する演出制御用ＣＰＵ３１ａと、
ｅ　始動入賞口１４，１５への遊技球の入賞を契機として、保留予告演出とコメント予告演出との両方を実行させると決定した場合、コメント予告演出の表示色を決定し、そのコメント予告演出の表示色に基づいて、その表示色以下となる保留予告演出の最終の表示色を決定し、保留予告演出が実行されない場合においても、コメント予告演出が実行されると決定してコメント予告演出の表示色を決定する演出制御用ＣＰＵ３１ａと、
ｆ　決定された保留予告演出の表示色を示す情報を、各変動ゲームに対応するように設定する演出制御用ＲＡＭ３１ｃと、
　を備え、
ｂ　演出制御用ＣＰＵ３１ａは、
ｂ１　保留ランプを白色で点灯することと、
ｂ２　保留ランプが青色で表示される保留予告演出と、
ｂ３　保留ランプが青色で表示される場合よりも特定変動ゲームの大当り期待度が高くなる、保留ランプが緑色で表示（点灯）される保留予告演出と、
　を実行することができ、 
ｃ　演出制御用ＣＰＵ３１ａは、
ｃ１　コメントが白色で表示されるコメント予告演出と、
ｃ２　コメントが白色で表示される場合よりも変動ゲームの大当り期待度が高くなる、コメントが青色で表示されるコメント予告演出と、
ｃ３　コメントが青色で表示される場合よりも変動ゲームの大当り期待度が高くなる、コメントが緑色で表示されるコメント予告演出と、
　を実行することができ、 
ｇ　保留予告演出の最終の表示色として青色が表示されていた場合、コメント予告演出のコメントの表示色が青色となる演出パターン、緑色となる演出パターン、コメントが緑色で表示される場合よりも変動ゲームの大当り期待度が高いコメントが赤色となる演出パターンのいずれかが実行され、
ｈ１　コメントが白色で表示されるコメント予告演出と、保留ランプを白色で点灯することがあり、
ｈ２　コメントが青色で表示されるコメント予告演出と、保留ランプが青色で表示される保留予告演出があり、
ｈ３　コメントが緑色で表示されるコメント予告演出と、保留ランプが緑色で表示（点灯）される保留予告演出があり、
ｅ　演出制御用ＣＰＵ３１ａは、
ｅ１　コメント予告演出のコメントの表示色が白色となる演出パターンの場合、保留予告演出の最終の表示色なしが選択され、保留ランプを特定の表示色（青色、緑色、赤色）以外の白色で点灯することとなり、
ｅ２　コメント予告演出のコメントの表示色が青色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されることが選択され、
ｅ３　コメント予告演出のコメントの表示色が緑色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されること、緑色が表示されることが選択され、
ｉ　演出制御用ＲＡＭ３１ｃは、決定されたコメント予告演出の表示色の演出パターンを示す情報が変動ゲームに対応するように設定される、
ｊ　パチンコ遊技機。」
第５　対比、判断
　本願発明と引用発明とを対比する。
（ａ）引用発明の「特図を変動させて表示する変動ゲームが行われ」ること、「大当り図柄が確定停止表示され」ること、及び「パチンコ遊技機」は、それぞれ、本願発明の「変動表示を行」うこと、「特定表示結果が導出表示され」ること、及び「遊技機」に相当する。
　また、大当りに当選し、大当り図柄が確定表示されることにより移行する「大当り遊技」が、遊技者にとって有利な遊技状態であることは、パチンコの技術分野の技術常識であるから、引用発明の「遊技者には、大当り遊技が付与される」ことは、本願発明の「遊技者にとって有利な有利状態に制御」することに相当する。
　したがって、引用発明の「特別図柄表示装置１２では、特図を変動させて表示する変動ゲームが行われ、大当り図柄が確定停止表示された場合、遊技者には、大当り遊技が付与されるパチンコ遊技機」は、
　本願発明の「変動表示を行い、変動表示の表示結果として特定表示結果が導出表示されたときに、遊技者にとって有利な有利状態に制御可能な遊技機」に相当する。
（ｂ）引用発明の「実行が保留されている」「遊技球の始動入賞による変動ゲーム」は、本願発明の「未だ開始されていない変動表示」に相当する。
　また、本願明細書の【０００６】には「第１変動前演出（例えば、青色の保留記憶表示）」と記載され、同【００４１】には「尚、青色の保留記憶表示が通常の表示態様であり、緑色や赤色の保留記憶表示が特定の表示態様であり、この保留記憶表示の色により保留表示予告演出が実行される。」と記載されているから、保留記憶表示の通常の表示態様も、本願発明の「有利状態に制御されることを示唆する」「変動前演出」に含まれるといえる。
　このことから、通常の表示態様である引用発明の「保留ランプを白色で点灯すること」も、「有利状態に制御されることを示唆する」「変動前演出」であり、引用発明の「保留ランプ」は画像を表示するものではないが、引用発明の「大当りに当選する場合には、大当りに当選しない（はずれとなる）場合よりも高い確率で実行が決定される演出であり、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出である先読み演出」、及び「保留ランプを白色で点灯すること」は、本願発明の「有利状態に制御されることを示唆する演出として、それぞれ異なる変動前演出」「を表示する複数の変動前演出」に相当する。
　したがって、引用発明の「遊技球の始動入賞による変動ゲームの実行が保留されているときに、大当りに当選する場合には、大当りに当選しない（はずれとなる）場合よりも高い確率で実行が決定される演出であり、４つの保留ランプ２１ａ〜２１ｄのうち特定変動ゲームに対応する保留ランプを特定の表示色（白色以外の青色、緑色、赤色）で表示させることによって、特定変動ゲームにおける大当り期待度を示す保留予告演出である先読み演出、及び、保留ランプを白色で点灯することを実行可能な演出制御用ＣＰＵ３１ａ」は、
　本願発明の特定事項Ｂと、「未だ開始されていない変動表示を対象に前記有利状態に制御されることを示唆する演出として、それぞれ異なる変動前演出」「を表示する複数の変動前演出を実行可能な変動前演出実行手段」である点で共通している。
（ｃ）引用発明の「実行中の変動ゲーム」は、本願発明の「実行中の変動表示」に相当する。
　また、引用発明の「演出表示装置１１において表示される表示色（白色、青色、緑色、赤色）によって」「大当り期待度を示すコメント画像ＣＧを表示するコメント予告演出」は、大当り遊技が付与される期待度を示す演出であるから、本願発明の「有利状態に制御されることを示唆する演出として、それぞれ異なる変動中演出画像を表示する複数の変動中演出」に相当する。
　したがって、引用発明の「演出表示装置１１において表示される表示色（白色、青色、緑色、赤色）によって、実行中の変動ゲームの大当り期待度を示すコメント画像ＣＧを表示するコメント予告演出を実行する演出制御用ＣＰＵ３１ａ」は、
　本願発明の「実行中の変動表示を対象に前記有利状態に制御されることを示唆する演出として、それぞれ異なる変動中演出画像を表示する複数の変動中演出を実行可能な変動中演出実行手段」に相当する。
（ｄ）引用発明は、「コメント予告演出の表示色を決定する」ことにより、「コメント予告演出の表示色を」選択している。
　したがって、引用発明の「始動入賞口１４，１５への遊技球の入賞を契機として、コメント予告演出の表示色を決定する演出制御用ＣＰＵ３１ａ」は、
　本願発明の「前記変動中演出を選択する変動中演出選択手段」に相当する。
（ｅ）引用発明は、「保留予告演出の最終の表示色を決定する」ことにより、「保留予告演出の最終の表示色を」選択している。
　したがって、引用発明の「始動入賞口１４，１５への遊技球の入賞を契機として、保留予告演出とコメント予告演出との両方を実行させると決定した場合、コメント予告演出の表示色を決定し、そのコメント予告演出の表示色に基づいて、その表示色以下となる保留予告演出の最終の表示色を決定し、保留予告演出が実行されない場合においても、コメント予告演出が実行されると決定してコメント予告演出の表示色を決定する演出制御用ＣＰＵ３１ａ」は、
　本願発明の「前記変動中演出選択手段による選択の後に前記変動前演出を選択する変動前演出選択手段」に相当する。
（ｆ）引用発明の「決定された保留予告演出の表示色を示す情報」、及び「演出制御用ＲＡＭ３１ｃ」は、それぞれ、本願発明の「未だ開始されていない変動表示に関する所定情報」及び「記憶手段」に相当する。
　したがって、引用発明の「決定された保留予告演出の表示色を示す情報を、各変動ゲームに対応するように設定する演出制御用ＲＡＭ３１ｃ」は、
　本願発明の「未だ開始されていない変動表示に関する所定情報を記憶可能な記憶手段」に相当する。
（ｂ１）上記（ｂ）において既に検討したように、引用発明の「保留ランプを白色で点灯すること」は、「有利状態に制御されることを示唆する」「変動前演出」であるとともに、「実行が保留されている」「遊技球の始動入賞による変動ゲーム」（未だ開始されていない変動表示）を対象に実行するものである。
　また、引用発明の「保留ランプを白色で点灯すること」は、特定事項ｂの「大当りに当選する場合には、大当りに当選しない（はずれとなる）場合よりも高い確率で実行が決定される演出」である「保留予告演出」ではないので、特定事項ｂ２の「保留ランプが青色で表示される保留予告演出」、及び特定事項ｂ３の「保留ランプが緑色で表示（点灯）される保留予告演出」よりも、大当りに当選し大当り遊技が付与される大当り期待度が低いものと認められる。
　したがって、引用発明の「保留ランプを白色で点灯すること」は、
　本願発明の「対象となる未だ開始されていない変動表示の前記有利状態に制御される期待度が低い第１変動前演出」に相当する。
（ｂ２）引用発明の「保留ランプが青色で表示される保留予告演出」は、特定事項ｂの「大当りに当選する場合には、大当りに当選しない（はずれとなる）場合よりも高い確率で実行が決定される演出」であり、「特定変動ゲームに対応する保留ランプを特定の表示色（白色以外の青色、緑色、赤色）で表示させることによって、特定変動ゲームにおける大当り期待度を示す保留予告演出である先読み演出」（変動前演出）であるから、上記（ｂ１）において検討したように、「保留ランプを白色で点灯すること」（第１変動前演出）よりも、大当りに当選し大当り遊技が付与される大当り期待度が高いものと認められる。
　したがって、引用発明の「保留ランプが青色で表示される保留予告演出」は、
　本願発明の「対象となる未だ開始されていない変動表示の前記有利状態に制御される期待度が該第１変動前演出よりも高い第２変動前演出」に相当する。
（ｂ３）引用発明の「保留ランプが緑色で表示（点灯）される保留予告演出」は、特定事項ｂの「特定変動ゲームに対応する保留ランプを特定の表示色（白色以外の青色、緑色、赤色）で表示させることによって、特定変動ゲームにおける大当り期待度を示す保留予告演出である先読み演出」（変動前演出）であり、「保留ランプが青色で表示される場合」（第２変動前演出）「よりも特定変動ゲームの大当り期待度が高くなる」「保留予告演出」（変動前演出）である。
　したがって、引用発明の「保留ランプが青色で表示される場合よりも特定変動ゲームの大当り期待度が高くなる、保留ランプが緑色で表示（点灯）される保留予告演出」は、
　本願発明の「対象となる未だ開始されていない変動表示の前記有利状態に制御される期待度が該第２変動前演出よりも高い第３変動前演出」に相当する。
（ｃ１）引用発明の「コメントが白色で表示されるコメント予告演出」は、特定事項ｃの「演出表示装置１１において表示される表示色（白色、青色、緑色、赤色）によって、実行中の変動ゲーム」（実行中の変動表示）「の大当り期待度を示すコメント画像ＣＧを表示するコメント予告演出」（変動中演出）であり、特定事項ｃ２の「コメントが白色で表示される場合よりも変動ゲームの大当り期待度が高くなる、コメントが青色で表示されるコメント予告演出」、及び特定事項ｃ３の「コメントが青色で表示される場合よりも変動ゲームの大当り期待度が高くなる、コメントが緑色で表示されるコメント予告演出」よりも、大当り遊技が付与される大当り期待度が低い「コメント予告演出」（変動中演出）である。
　したがって、引用発明の「コメントが白色で表示されるコメント予告演出」は、
　本願発明の「対象となる実行中の変動表示の前記有利状態に制御される期待度が低い第１変動中演出」に相当する。
（ｃ２）引用発明の「コメントが青色で表示されるコメント予告演出」も、特定事項ｃの「演出表示装置１１において表示される表示色（白色、青色、緑色、赤色）によって、実行中の変動ゲーム」（実行中の変動表示）「の大当り期待度を示すコメント画像ＣＧを表示するコメント予告演出」（変動中演出）である。
　したがって、引用発明の「コメントが白色で表示される場合よりも変動ゲームの大当り期待度が高くなる、コメントが青色で表示されるコメント予告演出」は、
　本願発明の「対象となる実行中の変動表示の前記有利状態に制御される期待度が該第１変動中演出よりも高い第２変動中演出」に相当する。
（ｃ３）引用発明の「コメントが緑色で表示されるコメント予告演出」も、特定事項ｃの「演出表示装置１１において表示される表示色（白色、青色、緑色、赤色）によって、実行中の変動ゲーム」（実行中の変動表示）「の大当り期待度を示すコメント画像ＣＧを表示するコメント予告演出」（変動中演出）である。
　したがって、引用発明の「コメントが青色で表示される場合よりも変動ゲームの大当り期待度が高くなる、コメントが緑色で表示されるコメント予告演出」は、
　本願発明の「対象となる実行中の変動表示の前記有利状態に制御される期待度が該第２変動中演出よりも高い第３変動中演出」に相当する。
（ｇ）引用発明の「最終の表示色として青色が表示され」る「保留予告演出」、「コメントの表示色が青色となる演出パターン」の「コメント予告演出」、及び「コメントの表示色が」「緑色となる演出パターン」の「コメント予告演出」は、ぞれぞれ、本願発明の「第２変動前演出」、「第２変動中演出」、及び「第３変動中演出」に相当する。
　また、引用発明の「保留予告演出の最終の表示色として青色が表示されていた場合」は、保留予告演出が継続中で、青色の「保留予告演出」に対応する変動表示がまだ行われていないときであるから、本願発明の「対象となる実行中の変動表示が開始されるよりも前から前記第２変動前演出が実行される場合」に相当する。
　しかしながら、引用発明は「保留予告演出の最終の表示色として青色が表示されていた場合」（第２変動前演出が実行される場合）、「コメント予告演出のコメントの表示色が青色となる演出パターン、緑色となる演出パターン」（第２変動中演出、第３変動中演出）以外に、「コメント予告演出のコメントの表示色が」「赤色となる演出パターン」「が実行され」ることがある。
　したがって、引用発明の「保留予告演出の最終の表示色として青色が表示されていた場合、コメント予告演出のコメントの表示色が青色となる演出パターン、緑色となる演出パターン、コメントが緑色で表示される場合よりも変動ゲームの大当り期待度が高いコメントが赤色となる演出パターンのいずれかが実行され」ることは、
　本願発明の特定事項Ｇと、「対象となる実行中の変動表示が開始されるよりも前から前記第２変動前演出が実行される場合に、該変動表示に関する前記変動中演出を実行する場合は、前記第２変動中演出と前記第３変動中演出」が「実行」可能である点で共通する。
（ｈ１）引用発明の「コメント予告演出」（変動中演出）は、特定事項ｃの「実行中の変動ゲームの大当り期待度を示すコメント画像ＣＧを表示する」特定事項を有しているから、画像を表示するものである。
　また、引用発明の「コメントが白色で表示されるコメント予告演出」（第１変動中演出）と「保留ランプを白色で点灯すること」（第１変動前演出）とは、「コメント」の「色」と「保留ランプ」の「色」が「白色」で共通するから、関連している。
　しかしながら、引用発明の「保留ランプ」は、「画像」を表示するものではない。
　したがって、引用発明の「コメントが白色で表示されるコメント予告演出と、保留ランプを白色で点灯することがあ」ることは、
　本願発明の特定事項Ｈ１と、「前記第１変動中演出の変動中演出画像は、前記第１変動前演出の変動前演出」「と関連して」いる点で共通する。
（ｈ２）引用発明の「コメントが青色で表示されるコメント予告演出」（第２変動中演出）と「保留ランプが青色で表示される保留予告演出」（第２変動前演出）とは、「コメント」の「色」と「保留ランプ」の「色」が「青色」で共通するから、関連している。
　しかしながら、引用発明の「保留ランプ」は、「画像」を表示するものではない。
　したがって、引用発明の「コメントが青色で表示されるコメント予告演出と、保留ランプが青色で表示される保留予告演出があ」ることは、
　本願発明の特定事項Ｈ２と、「前記第２変動中演出の変動中演出画像は、前記第２変動前演出の変動前演出」「と関連して」いる点で共通する。
（ｈ３）引用発明の「コメントが緑色で表示されるコメント予告演出」（第３変動中演出）と「保留ランプが緑色で表示（点灯）される保留予告演出」（第３変動前演出）とは、「コメント」の「色」と「保留ランプ」の「色」が「緑色」で共通するから、関連している。
　しかしながら、引用発明の「保留ランプ」は、「画像」を表示するものではない。
　したがって、引用発明の「コメントが緑色で表示されるコメント予告演出と、保留ランプが緑色で表示（点灯）される保留予告演出があ」ることは、
　本願発明の特定事項Ｈ２と、「前記第３変動中演出の変動中演出画像は、前記第３変動前演出の変動前演出」「と関連して」いる点で共通する。
（ｅ１）引用発明の「コメント予告演出」（変動中演出）「のコメントの表示色」は、特定事項ｄの「コメント予告演出の表示色を決定する演出制御用ＣＰＵ３１ａ」（変動中演出選択手段）が、決定することにより選択している。
　また、引用発明の「コメントの表示色が白色となる演出パターン」の「コメント予告演出」、及び「保留ランプを特定の表示色（青色、緑色、赤色）以外の白色で点灯すること」は、それぞれ、本願発明の「第１変動中演出」、及び「第１変動前演出」に相当する。
　したがって、引用発明の「コメント予告演出のコメントの表示色が白色となる演出パターンの場合、保留予告演出の最終の表示色なしが選択され、保留ランプを特定の表示色（青色、緑色、赤色）以外の白色で点灯することとな」ることは、
　本願発明の「前記変動中演出選択手段により前記第１変動中演出が選択された場合は、前記第１変動前演出を選択」することに相当する。
（ｅ２）引用発明の「コメントの表示色が青色となる演出パターン」の「コメント予告演出」、「保留ランプを特定の表示色（青色、緑色、赤色）以外の白色で点灯すること」、及び「最終の表示色として青色が表示される」「保留予告演出」は、それぞれ、本願発明の「第２変動中演出」、「第１変動前演出」及び「第２変動前演出」に相当する。
　したがって、引用発明の「コメント予告演出のコメントの表示色が青色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されることが選択され」ることは、
　本願発明の「前記変動中演出選択手段により前記第２変動中演出が選択された場合は、前記第１変動前演出と前記第２変動前演出とのうち少なくともどちらか一方を選択」することに相当する。
（ｅ３）引用発明の「コメントの表示色が緑色となる演出パターン」の「コメント予告演出」、「保留ランプを特定の表示色（青色、緑色、赤色）以外の白色で点灯すること」、「最終の表示色として青色が表示される」「保留予告演出」、及び「最終の表示色として」「緑色が表示される」「保留予告演出」は、それぞれ、本願発明の「第３変動中演出」、「第１変動前演出」、「第２変動前演出」、及び「第３変動前演出」に相当する。
　したがって、引用発明の「コメント予告演出のコメントの表示色が緑色となる演出パターンの場合、保留予告演出の最終の表示色なしが選択され、保留ランプを特定の表示色（青色、緑色、赤色）以外の白色で点灯することとなるか、保留予告演出の最終の表示色として青色が表示されること、緑色が表示されることが選択され」ることは、
　本願発明の「前記変動中演出選択手段により前記第３変動中演出が選択された場合は、前記第１変動前演出、前記第２変動前演出または前記第３変動前演出のうち少なくともいずれか一つを選択」することに相当する。
（ｉ）引用発明の「決定されたコメント予告演出の表示色を示す演出パターンを示す情報」は、特定事項ｃの「コメント予告演出」（変動中演出）の「表示色（白色、青色、緑色、赤色）」をどの表示色に決定したかを特定可能な情報であるから、本願発明の「変動中演出情報」に相当する。
　また、引用発明の「演出制御用ＲＡＭ３１ｃは、決定されたコメント予告演出の表示色の演出パターンを示す情報」（変動中演出情報）「が変動ゲームに対応するように設定され」ているとともに、特定事項ｆの「演出制御用ＲＡＭ３１ｃ」は「決定された保留予告演出の表示色を示す情報」（所定情報）「を、各変動ゲームに対応するように設定」されているから、「演出制御用ＲＡＭ３１ｃ」（記憶手段）において、「変動ゲームに対応するように」、「決定されたコメント予告演出の表示色の演出パターンを示す情報」（変動中演出情報）と「決定された保留予告演出の表示色を示す情報」（所定情報）とが設定されることにより、「決定されたコメント予告演出の表示色の演出パターンを示す情報」（変動中演出情報）と「決定された保留予告演出の表示色を示す情報」（所定情報）とが対応付けて「演出制御用ＲＡＭ３１ｃ」（記憶手段）に記憶されているといえる。
　しかしながら、「コメント予告演出」（変動中演出）は、特定事項（ｃ１）〜（ｃ３）の「コメントの表示色が白色となる演出パターン」の「コメント予告演」（第１変動中演出）、「コメントの表示色が青色となる演出パターン」の「コメント予告演出」（第２変動中演出）、「コメントの表示色が緑色となる演出パターン」の「コメント予告演出」（第３変動中演出）以外に、特定事項ｇの「コメントの表示色が」「赤色となる演出パターン」の「コメント予告演出」がある。
　したがって、引用発明の「演出制御用ＲＡＭ３１ｃは、決定されたコメント予告演出の表示色を示す演出パターンを示す情報が変動ゲームに対応するように設定される」ことは、
　本願発明の特定事項Ｉと、「前記記憶手段は、前記変動中演出を」「特定可能な変動中演出情報を前記所定情報に対応付けて記憶可能である」点で共通する。
（ｊ）引用発明の「パチンコ遊技機」は、本願発明の「遊技機」に相当する。
　以上のことから、本願発明と引用発明とは、
［一致点］ 
「Ａ　変動表示を行い、変動表示の表示結果として特定表示結果が導出表示されたときに、遊技者にとって有利な有利状態に制御可能な遊技機であって、
Ｂ’　未だ開始されていない変動表示を対象に前記有利状態に制御されることを示唆する演出として、それぞれ異なる変動前演出を表示する複数の変動前演出を実行可能な変動前演出実行手段と、
Ｃ　実行中の変動表示を対象に前記有利状態に制御されることを示唆する演出として、それぞれ異なる変動中演出画像を表示する複数の変動中演出を実行可能な変動中演出実行手段と、
Ｄ　前記変動中演出を選択する変動中演出選択手段と、
Ｅ　前記変動中演出選択手段による選択の後に前記変動前演出を選択する変動前演出選択手段と、
Ｆ　未だ開始されていない変動表示に関する所定情報を記憶可能な記憶手段と、
　を備え、 
Ｂ　前記変動前演出実行手段は、
Ｂ１　　対象となる未だ開始されていない変動表示の前記有利状態に制御される期待度が低い第１変動前演出と、
Ｂ２　　対象となる未だ開始されていない変動表示の前記有利状態に制御される期待度が該第１変動前演出よりも高い第２変動前演出と、
Ｂ３　　対象となる未だ開始されていない変動表示の前記有利状態に制御される期待度が該第２変動前演出よりも高い第３変動前演出と、
　　を実行可能であり、 
Ｃ　前記変動中演出実行手段は、
Ｃ１　　対象となる実行中の変動表示の前記有利状態に制御される期待度が低い第１変動中演出と、
Ｃ２　　対象となる実行中の変動表示の前記有利状態に制御される期待度が該第１変動中演出よりも高い第２変動中演出と、
Ｃ３　　対象となる実行中の変動表示の前記有利状態に制御される期待度が該第２変動中演出よりも高い第３変動中演出と、
　　を実行可能であり、 
Ｇ’　　対象となる実行中の変動表示が開始されるよりも前から前記第２変動前演出が実行される場合に、該変動表示に関する前記変動中演出を実行する場合は、前記第２変動中演出と前記第３変動中演出が実行可能であり、
Ｈ１’　前記第１変動中演出の変動中演出画像は、前記第１変動前演出の変動前演出と関連しており、
Ｈ２’　前記第２変動中演出の変動中演出画像は、前記第２変動前演出の変動前演出と関連しており、
Ｈ３’　前記第３変動中演出の変動中演出画像は、前記第３変動前演出の変動前演出と関連しており、
Ｅ　前記変動前演出選択手段は、
Ｅ１　　前記変動中演出選択手段により前記第１変動中演出が選択された場合は、前記第１変動前演出を選択し、
Ｅ２　　前記変動中演出選択手段により前記第２変動中演出が選択された場合は、前記第１変動前演出と前記第２変動前演出とのうち少なくともどちらか一方を選択し、
Ｅ３　　前記変動中演出選択手段により前記第３変動中演出が選択された場合は、前記第１変動前演出、前記第２変動前演出または前記第３変動前演出のうち少なくともいずれか一つを選択し、
Ｉ’　前記記憶手段は、前記変動中演出を特定可能な変動中演出情報を前記所定情報に対応付けて記憶可能である、
Ｊ　遊技機。」 
　である点で一致し、以下の点で相違する。　
  
［相違点１］（特定事項Ｂ）
　「未だ開始されていない変動表示を対象に前記有利状態に制御されることを示唆する演出として」「複数の変動前演出を実行可能な変動前演出実行手段」が「表示する」「それぞれ異なる変動前演出」に関して、
　本願発明は、「変動前演出画像」であるのに対して、
　引用発明は、「保留ランプを特定の表示色（白色以外の青色、緑色、赤色）で表示させる」「保留予告演出である先読み演出」（変動前演出）、及び、「保留ランプを白色で点灯すること」（変動前演出）であり、画像でない点。
［相違点２］（特定事項Ｇ）
　「対象となる実行中の変動表示が開始されるよりも前から前記第２変動前演出が実行される場合に、該変動表示に関する前記変動中演出を実行する場合」に関して、
　本願発明は、「前記第２変動中演出と前記第３変動中演出とのうち、少なくともどちらか一方を実行」するのに対して、
　引用発明は、「コメント予告演出のコメントの表示色が青色となる演出パターン、緑色となる演出パターン」（第２変動中演出、第３変動中演出）以外に、「コメント予告演出のコメントの表示色が」「赤色となる演出パターン」「が実行され」ることがある点。 
［相違点３］（特定事項Ｈ１〜３）
　「第１変動前演出」、「第２変動前演出」及び「第３変動前演出」の「変動前演出」に関して、
　本願発明は、「変動前演出画像」であるのに対して、
　引用発明は、「保留ランプを白色で点灯すること」（第１変動前演出）、「保留ランプが青色で表示される保留予告演出」（第２変動前演出）及び「保留ランプが緑色で表示（点灯）される保留予告演出」（第３変動前演出）であり、画像でない点。
［相違点４］（特定事項Ｉ）
　「前記記憶手段」が「前記所定情報に対応付けて記憶可能である」、「前記変動中演出を」「特定可能な変動中演出情報」に関して、
　本願発明は、「前記変動中演出を前記第１変動中演出、前記第２変動中演出、前記第３変動中演出のいずれに決定したかを特定可能な変動中演出情報」であるのに対して、
　引用発明は、「コメント予告演出」（変動中演出）は、「コメントの表示色が白色となる演出パターン」の「コメント予告演」（第１変動中演出）、「コメントの表示色が青色となる演出パターン」の「コメント予告演出」（第２変動中演出）、「コメントの表示色が緑色となる演出パターン」の「コメント予告演出」（第３変動中演出）以外に、「コメントの表示色が」「赤色となる演出パターン」の「コメント予告演出」があるため、「決定されたコメント予告演出の表示色の演出パターンを示す情報」（変動中演出情報）が本願発明のような特定事項でない点。
　以下、上記相違点１〜４について検討する。　　
［判断］ 
（１）相違点１及び３について　
　相違点１及び３は、関連するのでまとめて検討する。
　 
　保留（始動記憶）の表示色で大当たり期待度を示唆する先読み予告演出（変動前演出）を、保留画像（始動記憶表示画像）を用いて行うことは、令和２年１月２７日付けの当審における拒絶の理由において引用文献２として引用された特開２０１１−１７１号公報（画像を表示する液晶表示装置５０において［【００４５】］、先読み予告表示では、保留玉の表示色により、その始動記憶に係る変動表示ゲームの大当たりとなる期待度を示唆するものであり［【００５８】］、飾り特図始動記憶表示５１，５２の表示色は、通常は青色とされ［【０１１４】、図１４］、期待度「中」であるときは飾り特図始動記憶表示５１，５２の表示色を「黄色」とし、期待度「高」のときは表示色を「赤色」とする［【０１１７】］遊技機１００［【００５８】］が記載されている。）、同じく引用文献３として引用された特開２０１５−８３１９２号公報（液晶ディスプレイ型の画像表示部ＧＨを有する演出表示装置１１において［【００１２】］、保留記憶数を示す保留画像を、通常時における青色とは異なる緑色［【０１０８】］、緑色より大当り期待度が高い赤色［【０１１２】、図８］の表示態様で表示させることによって、その保留記憶数に対応する変動ゲームおける大当り期待度を示唆する保留先読み予告演出［【０１０８】］が実行される［【０１１２】］パチンコ遊技機［【００１２】］が記載されている。）に記載されているように、周知（以下、「周知技術」という。）である。
　引用発明に上記周知技術を適用して、「保留ランプを特定の表示色（白色以外の青色、緑色、赤色）で表示させる」「保留予告演出である先読み演出」（変動前演出）、「保留ランプを白色で点灯すること」（変動前演出、第１変動前演出）、「保留ランプが青色で表示される保留予告演出」（第２変動前演出）及び「保留ランプが緑色で表示（点灯）される保留予告演出」（第３変動前演出）が、演出表示装置１１において画像で表示されるようにして、上記相違点１及び３に係る本願発明の構成とすることは、当業者が容易になし得たものである。
（２）相違点２及び４について
　相違点２及び４は、関連するのでまとめて検討する。
　引用発明において、「コメント予告演出」（変動中演出）「のコメントの表示色」の種類を何種類にするかは、設定的事項程度のことにすぎず、「コメント予告演出」（変動中演出）「のコメントの表示色」の種類を、白色、青色、緑色の３種類にすると、「コメント予告演出のコメントの表示色が」「赤色となる演出パターン」「が実行され」なくなるとともに、「決定されたコメント予告演出の表示色を示す演出パターンを示す情報」（変動中演出情報）が、「コメント予告演出」（変動中演出）を、「コメントの表示色が白色となる演出パターン」の「コメント予告演」（第１変動中演出）、「コメントの表示色が青色となる演出パターン」の「コメント予告演出」（第２変動中演出）、「コメントの表示色が緑色となる演出パターン」の「コメント予告演出」（第３変動中演出）のいずれに決定したかを特定可能な情報になるから、上記相違点２及び４に係る本願発明の構成とすることは、当業者が容易になし得たものである。
　そして、これらの相違点を総合的に勘案しても、本願発明の奏する作用効果は、引用発明及び上記周知技術の奏する作用効果から予測される範囲内のものにすぎず、格別顕著なものということはできない。
第６　請求人の主張について 
　審判請求人は、令和２年３月１２日付け意見書の「（４）本発明と引用文献に記載の発明との対比」において、概ね以下のように主張している。　
　引用文献１は、単に、保留情報を記憶可能なものでしかなく、本発明のように、変動中演出を第１変動中演出、第２変動中演出、第３変動中演出のいずれに決定したかを特定可能な変動中演出情報を所定情報に対応付けて記憶可能であることについて何ら開示ないし示唆するものではありません。よって、引用文献１は、変動中演出や変動前演出の選択における処理負荷を低減することができないものに過ぎません。
　変動中演出や変動前演出の選択における処理負荷を低減するための上記した本発明の特徴構成Ａ（「未だ開始されていない変動表示に関する所定情報を記憶可能な記憶手段と、を備え、前記記憶手段は、前記変動中演出を前記第１変動中演出、前記第２変動中演出、前記第３変動中演出のいずれに決定したかを特定可能な変動中演出情報を前記所定情報に対応付けて記憶可能である、」なる特徴構成）は、引用文献１〜３に開示も示唆もされておらず、本発明は引用文献１〜３にもとづいて容易に想到できるものではありません。
　しかしながら、引用発明は、「決定された保留予告演出の表示色を示す情報を、各変動ゲームに対応するように設定する演出制御用ＲＡＭ３１ｃ」（特定事項ｆ）、及び「決定されたコメント予告演出の表示色の演出パターンを示す情報が変動ゲームに対応するように設定される」「演出制御用ＲＡＭ３１ｃ」（特定事項ｉ）を有している。
　そして、「コメント予告演出」（変動中演出）「のコメントの表示色」の種類を何種類にするかは、上記「第５　対比、判断　［判断］（２）相違点２及び４について」において既に検討したように、設定的事項程度のことにすぎず、「コメント予告演出」（変動中演出）「のコメントの表示色」の種類を、白色、青色、緑色の３種類にすると、「決定されたコメント予告演出の表示色を示す演出パターンを示す情報」（変動中演出情報）が、「コメント予告演出」（変動中演出）を、「コメントの表示色が白色となる演出パターン」の「コメント予告演」（第１変動中演出）、「コメントの表示色が青色となる演出パターン」の「コメント予告演出」（第２変動中演出）、「コメントの表示色が緑色となる演出パターン」の「コメント予告演出」（第３変動中演出）のいずれに決定したかを特定可能な情報になるから、上記相違点４に係る本願発明の構成とすることは、当業者が容易になし得たものである。
　そうすると、特定事項ｆ、ｉを有している引用発明に上記設計的事項を加えた発明は、請求人が主張する、変動中演出や変動前演出の選択における処理負荷を低減する効果を奏するといえる。
　したがって、請求人の主張を採用することはできない。
第７　むすび
　以上のとおり、本願発明は、当業者が引用発明及び上記周知技術に基づいて容易に発明することができたものであるから、特許法第２９条第２項の規定により特許を受けることができないものである。
　したがって、その余の請求項について検討するまでもなく、本願は拒絶すべきものである。
　よって、結論のとおり審決する。